(57)【要約】      （修正有）【課題】ランプホルダとこのランプホルダを受け入れるソケットとを組み合わせた蛍光灯ホルダを提供する。【解決手段】ランプホルダ１５は、一対の電気端子を内蔵するランプホルダ本体を有している。ランプホルダ本体は、一つの壁に一対の開口３０を含む。開口３０は、電気端子の位置に対応する位置に設けられ、各開口３０は各電気端子に案内する。ランプホルダ１５は、間隙を有して並列に配された一対の足３５を含み、各足の一方の端部は上記電気端子に接続され、かつ各足の自由端は上記ランプホルダ本体から突出している。ソケット２０は、間隙を介した一対の電気端子を有し、ランプホルダ１５の足を受け入れる開口４５を有している。ソケット２０は、金属線との接続のための一対の挿入口５０を含み、かつ外部の壁に照明器具７との連結のための水平の凹部を含む。【選択図】図４
2011014345.tif 000002
【特許請求の範囲】
【請求項１】
少なくとも一対の電気端子を内蔵するランプホルダ本体を有するランプホルダを備え、  上記ランプホルダ本体は、少なくとも一つの壁に少なくとも一対の開口を含み、各開口が各電気端子に案内する上記一対の開口は、上記電気端子の位置に対応する位置に設けられ、
上記ランプホルダは、間隙を有して並列に配された少なくとも一対の足を含み、上記各足の一方の端部は上記電気端子に接続され、かつ上記各足の自由端は上記ランプホルダ本体から突出していると共に、
上記ランプホルダの足を受け入れる、間隙を介した少なくとも一対の差込口を有するソケットが設けられ、上記ソケットは、少なくとも一対の金属線との接続のための挿入口を含み、かつ外部の壁に水平の凹部を含むと共に、
上記ランプホルダにおける一対の各足の間隙の距離は、ランプホルダの足がソケットの対応する電気端子に挿入することによって上記ランプホルダがソケットに結合されるように、上記ソケットの一対の電気端子間の距離に一致している蛍光灯ホルダ。
【請求項２】
上記開口が配設されたランプホルダ本体の壁は、平坦であり、かつランプホルダ本体の残りの壁面とは同じレベルである請求項１記載の蛍光灯ホルダ。
【請求項３】
上記開口が配設されたランプホルダ本体の壁は、該壁に一体に形成された少なくとも一つの凹入部を含むと共に、
上記一対の開口は、上記凹入部の内部に配設されており、
上記凹入部は、蛍光管の端部を受け入れ可能となっている請求項１記載の蛍光灯ホルダ。
【請求項４】
上記凹入部は、その直径が蛍光管の直径よりも大きい直径を有する管形状を有している請求項３記載の蛍光灯ホルダ。
【請求項５】
上記ランプホルダ本体の足は、ブレードタイプ及びピンタイプの両方、又はブレードタイプ若しくはピンタイプのいずれか一方である請求項１〜４のいずれか１項に記載の蛍光灯ホルダ。
【請求項６】
上記ソケットの電気端子は、ランプホルダの各足間の距離に一致する距離を有する間隙を有して設けられていると共に、
上記ソケットの電気端子における差込口の形状及び寸法は、ソケットへのランプホルダの確実な連結が達成できるように、ランプホルダの足の形状及び寸法に一致している請求項１〜５のいずれか１項に記載の蛍光灯ホルダ。
【請求項７】
上記ランプホルダは、上記ランプホルダ本体の外部表面に、表面テクスチャー又はパターンを強調してなる掴み部を有している請求項１〜６のいずれか１項に記載の蛍光灯ホルダ。
【請求項８】
上記ソケットは、さらに、電気安定器を含んでいる請求項１〜７のいずれか１項に記載の蛍光灯ホルダ。
【発明の詳細な説明】
【発明の詳細な説明】
【０００１】
［発明の分野］
本発明は、ランプホルダの電気技術に関し、より詳細には、管状の蛍光灯ホルダに関する。
【０００２】
［発明の背景］
蛍光管は、広く知られており、家庭及び工場を含む日常生活に使用されている。一般に、蛍光管は、種々の寸法、長さで利用することができ、通常は、二重ピンの管形状となっている。蛍光管は、２つの端部を有しており、各端部には蛍光管を電源に接続するために使用される一対のピンが設けられている。蛍光管の各端部における各一対のピンは、同じ方向かつ同じ位置に配されており、取り付けに際しては、ピンはランプホルダにおける２つの電気端子の間のスリットに挿入される。これにより、電流がランプを通して流れる。
【０００３】
ツイストタイプと呼ばれている一つの知られたランプホルダは、図１に示すように、ベースと、そのベースに一体に形成されたランプホルダ本体とを含んでいる。ランプホルダ本体の内部には一対の電気端子が設けられており、通常、電気端子は銅板又は他の導電性金属にてなっている。
【０００４】
ランプホルダ本体はスリットを含んでおり、スリットでは、ベースから延びる銅端子がむき出しになって該スリットを通して見えるようになっている。取り付けの際には、蛍光管の一方の端部の両ピンが最初に挿入され、次いで、他方の端部も同様に続く。このとき、蛍光管は、ピンが銅版の電気端子に接触し電流が通過してランプが点灯するように、ひねられ（twisted）又は回転される。このとき同時に、蛍光管がランプホルダに安定して固定される。公知のランプホルダの不利益は、蛍光管をランプホルダに取り付ける際、蛍光管の両端のピンが適切に同時にスリットに挿入されるように蛍光管のピンをランプホルダのスリットに挿入する必要があるということである。蛍光管のピンをランプホルダのスリットに挿入することは、一部の人にとっては難しいことである。とりわけ、ピンとスリットとが大変小さいときには、特に、そのような取り付けを踏み台に上って行なうようなときには、困難である。なれない人の場合には、ピンを壊したり、踏み台から落ちたりすることが起こり得る。
【０００５】
ランプホルダの他の知られたタイプは、図２に示すように、スプリングタイプと呼ばれているものである。このようなランプホルダは間隙を介した一対の電気端子を含んでおり、これら電気端子はランプホルダ本体の下側のベースに設けられた一対の開口を通して金属線に接続されている。ランプホルダにおける一つの壁の中心領域には、一対の貫通口が用意されており、蛍光管のピンはこの貫通口を通して電気端子に接触するように挿入されるので、電流が蛍光管を通して流れることができるようになっている。このタイプのランプホルダの主たる特徴は、貫通口が位置決めされている壁の中心領域が、大きい壁から分離し、その中心領域は、スプリングの作用により動くことができるスプリング状態になっているということである。蛍光管の取り付けに際しては、最初に、蛍光管の一つの端部の両ピンが挿入され、この間、スプリングが内側に縮む。そして、他の端部も同様に行なわれる。蛍光管は、各端部のバネの作用により保持される。スプリングタイプの不利益は、ツイストタイプのランプホルダの不利益と同様に、ランプホルダの小さな開口に蛍光管のピンを取り付けることを正確に行う必要があるということである。そして、このことは、一部の人にとっては、困難である。特に、スプリングの強度を知らない人の場合には、スプリングに対して非常に強く蛍光管を押すので、蛍光管やピンを壊すことが起こり得る。
【０００６】
それゆえ、本発明の目的は、蛍光管のランプホルダへの取り付けを簡便かつ容易に行い得る改良された蛍光灯ホルダを提供することにある。
【０００７】
［発明の概要］
本発明の目的は、二重ピンの蛍光管のランプホルダへの取り付けに際して、蛍光管を簡便かつ容易に行い得る蛍光灯ホルダを提供することにある。本発明の蛍光灯ホルダは、現存の蛍光灯と照明器具とを取り付けることができる。
【０００８】
本発明の蛍光灯ホルダは、一緒に組み合わせたランプホルダとソケットとを備えている。
【０００９】
上記ランプホルダは、従来のプラグと同様の一対の電気端子を内蔵するランプホルダ本体を有している。各電気端子は、互いに対向する柔軟な一対の銅板にてなっており、その銅板の間に蛍光管のピンが挿入される。一対の電気端子間の距離は、蛍光管の端部に設けられたピン間の距離に一致している。ランプホルダの１端部には、一対の足が存在しており、その足は対応する電気端子に接続されている。
【００１０】
ソケットは、長方形となっており、照明器具に取り付けることができるように、照明器具の寸法に一致する寸法を有している。ソケットは、従来の壁ソケットと同様の一対の差込口を有している。差込口は、ランプホルダの足間の距離に一致した距離の間隙を有している。ソケットは、また、金属線との接続のための２つの挿入孔を含んでいる。
【００１１】
ソケットは、照明器具の各端部にて該照明器具に取り付けられる。ランプホルダは、蛍光管の各端部にて該蛍光管に取り付けられる。ランプホルダを取り付けた蛍光管は、ソケットに取り付けられ、これにより、蛍光灯ホルダと蛍光管との一体化が完成する。
【００１２】
［図面の簡単な説明］
以下の実施の形態の添付図面を参照することにより、本発明の理解の助けになるだろう。
【００１３】
図１は、従来のツイストタイプのランプホルダの構成を示す図である。
【００１４】
図２は、従来のスプリングタイプのランプホルダの構成を示す図である。
【００１５】
図３は、本発明の蛍光灯ホルダにおける実施の形態を示すものであって、既に蛍光管と照明器具とが取り付けられた蛍光灯ホルダを示す図である。
【００１６】
図４は、本発明の蛍光灯ホルダにおける実施の形態を示す組み立て分解斜視図である。
【００１７】
図５は、本発明の蛍光灯ホルダにおける他の実施の形態を示す組み立て分解斜視図である。
【００１８】
図６は、本発明の蛍光灯ホルダにおける実施の形態を示すものであって、一対の開口を有する凹入部（dock）が複数設けられたランプホルダを示す図である。
【００１９】
［発明を実施するための好ましい形態の詳細な説明］
図３及び図４は、本発明の蛍光灯ホルダ１０における実施の形態を示す図である。ランプホルダ１５及びソケット２０は、プラスチック射出成形によって形成されている。上記ランプホルダ１５とソケット２０とは、一体化可能とした２つの分離品として形成されている。
【００２０】
上記ランプホルダ１５は、従来のプラグと同様の、少なくとも一対の電気端子を内蔵するランプホルダ本体を含んでいる。各電気端子は、互いに対向する柔軟な一対の銅板からなっており、その一対の銅板の間に蛍光管６のピン５が挿入されるようになっている。２つの電気端子は間隙を有して設けられており、各電気端子間の距離は、蛍光管６の端部に設けられたピン５間の距離と一致するようになっている。ランプホルダ１５には、ランプホルダ本体の少なくとも１つの壁に配設された少なくとも一対の開口３０が用意されており、その壁には、特に、蛍光管６のピン５が接触されるようになっている。上記の開口３０は、蛍光管６の端部のピン５を受け入れることができるようになっている。したがって、開口３０は間隙を有して設けられている。２つの開口３０間の距離は、蛍光管６の端部における一対のピン５間の距離に対応し、より詳細には等しいことが必要である。ランプホルダ１５の１つの実施の形態では、図３に示すように、特に、２つの開口３０が配設されている壁の中心領域は、蛍光管の端部のための円形の凹入部（dock）を形成するランプホルダ本体の内部に深く入り込んで配されている。少なくとも１つの凹入部は、上記の壁に射出成形により一体的に形成されている。上記凹入部は、蛍光管６、特に管状の蛍光管の直径よりも大きい直径を有していることが好ましい。これにより、凹入部を通して蛍光管の端部を挿入することができ、蛍光管６のピン５を開口３０に嵌め込むことができる。上述したように、電気端子は、互いに対向する一対の柔軟な銅板にてなっており、蛍光管６のピン５は、その間に挿入される。各銅板への嵌め込みにおいては、上記銅板の間に蛍光管６のピン５が一度挿入されると、該ピン５がランプホルダ１５に対する蛍光管６の安定した取り付け位置を安定的に維持するような力で達成されることが好ましい。ランプホルダ本体の一つの端部、特に、ソケット２０が接触される端部では、一対の間隙を有した足３５がランプホルダ本体から突出している。足３５は、従来の（部品としての）雄プラグと同様なもので形成されており、プレートタイプ、ピンタイプ又はその他の形状にすることができる。その形状や寸法は、ソケット２０の差込口４５の形及び寸法に一致している。各足３５における、ソケット２０の差込口４５に挿入される自由端とは反対側の端部は、電気端子の銅板に接続されている。ランプホルダ１５のランプホルダ本体の壁、少なくとも外部側面壁には、ランプホルダ１５の取り付け及び／又は取り外しの際に、掴み易さを高める表面テクスチャー又はパターン４０が用意されている。
【００２１】
図５は、ランプホルダ１５の他の実施の形態を示している。本実施の形態では、ランプホルダ１５は、上述した凹入部を含んでいない。本実施の形態では、壁の中心領域、特に、開口３０が配設されている壁は、壁面における他の残りの領域と同じレベルとなっている。
【００２２】
さらに他の実施の形態のランプホルダ１５においては、（図示しないが、）一対以上の開口３０を含んでいてもよい。図６に示すように、本実施の形態のランプホルダ１５は、一対の第１の開口３０が位置している壁とは相対する壁に配設された一対の第２の開口３０を含んでいてもよい。本実施の形態では、共用のランプホルダ１５を用いて、一個の取付具、一本配列の蛍光管６、又は複数本配列の蛍光管６とすることができる。
【００２３】
さらに、ランプホルダ１５の他の実施の形態においては、（図示しないが、）ランプホルダ１５はそのランプホルダ本体内に電気安定器を含んでいてもよい。
【００２４】
上記ソケット２０は、本発明の蛍光灯ホルダの一部を構成していると共に、照明器具７に固定できるように、照明器具７の形状及び寸法に一致した構成の本体を有している。ソケット２０は、従来ソケットの内部のように、導電性の金属板及び金属線を内蔵している。ソケット２０の１つの実施の形態においては、図４及び図５に示すように、ソケット２０は長方形となっており、従来の壁ソケットと同様に、一対の差込口４５を有している。上記一対の差込口４５は、各差込口４５を分離する間隙を介して設けられており、その間隙は、ランプホルダ１５の足３５間の距離と一致する距離を有している。差込口４５の開口の形状及び寸法は、ランプホルダ１５の足３５の形状及び寸法に一致しており、これによって、ランプホルダ１５の足３５が差込口４５に挿入でき、ソケット２０に対するランプホルダ１５の密接な連結が維持できるようになっている。ソケット２０は、また、電源に接続される金属線のための２つの挿入孔５０を含んでいる。ソケット２０の外部壁には、照明器具７内部のフランジ位置にソケット２０を接続できるように、一つの凹部（recess）５５が用意されている。したがって、凹部５５の位置は、照明器具７の内部のフランジ位置に一致しており、それによって、該照明器具のフランジは、ソケット２０の凹部５５に係止されるようになっている。
【００２５】
図３は、本発明の蛍光灯ホルダ１０の完全な組み立て品を示している。一つの蛍光管取付具のためには、少なくとも一対の蛍光灯ホルダ１０（一対のソケット２０を含む）が必要である。できれば、最初に、照明器具７の端部において、一対のソケット２０を、ソケット２０の凹部５５と照明器具７のフランジとの接続機構を介して照明器具７に固定することが好ましい。同様にして、蛍光管６の端部において、一対のランプホルダ１５を蛍光管６に固定し、それによって、蛍光管６のピン５をランプホルダ１５の開口３０に挿入する。各端部に固定されたランプホルダ１５を有する蛍光管６は、ソケット２０の差込口４５へのランプホルダ１５の足３５の容易な挿入によって、ソケット２０に安定的に固定される。本発明の蛍光灯ホルダ１０では、ランプホルダ１５とソケット２０とが用意されているので、照明取付具への蛍光管６の固定が、容易になされることが理解できる。
【００２６】
蛍光管６の取替えが必要である場合、蛍光管６とランプホルダ１５とは、実に簡単に、ソケット２０から外すことができる。新しい蛍光管６とランプホルダ１５とは、床上で、ランプホルダ１５の開口３０に蛍光管６のピン５を容易に挿入することにより、一緒に組み立てることができるので、ピン５を曲げたり壊したりすることがない。加えて、蛍光管６とランプホルダ１５とを床上で一緒に組み立てることができるということは、ランプホルダへ蛍光管を取り付けるときの従来方法において踏み台で同様のことを行なう必要性がなくなることを意味する。本発明は、ランプホルダ１５の開口３０に、蛍光管６の端部のピン５を挿入しようとして、踏み台から落ちて怪我をすることを軽減する助けとなる。特に、電気技師でない人にとっては、ランプホルダ１５上のピン５と開口３０とが非常に小さいときには、踏み台にて行なうことは、床上で同様に行なうこと以上に難しいものである。本発明では、照明器具７のランプホルダ１５及びソケット２０に蛍光管６を予め組み立てることができ、ソケット２０にランプホルダの足３５を容易に挿入することができる。それは、一般的な電気器具においてプラグを嵌め込むと同様に、実に簡単なことである。
【図面の簡単な説明】
【００２７】
【図１】従来のツイストタイプのランプホルダの構成を示す図である。
【図２】従来のスプリングタイプのランプホルダの構成を示す図である。
【図３】本発明の蛍光灯ホルダにおける実施の形態を示すものであって、既に蛍光管と照明器具とが取り付けられた蛍光灯ホルダを示す図である。
【図４】本発明の蛍光灯ホルダにおける実施の形態を示す組み立て分解斜視図である。
【図５】本発明の蛍光灯ホルダにおける他の実施の形態を示す組み立て分解斜視図である。
【図６】本発明の蛍光灯ホルダにおける実施の形態を示すものであって、一対の開口を有する凹入部（dock）が複数設けられたランプホルダを示す図である。
【図１】
2011014345.tif 000003
【図２】
2011014345.tif 000004
【図３】
2011014345.tif 000005
【図４】
2011014345.tif 000006
【図５】
2011014345.tif 000007
【図６】
2011014345.tif 000008
【外国語明細書】
2011014345000001.pdf